(57)【要約】【課題】構造が簡単で塵埃除去を確実に行なうことができる電気掃除機を提供する。【解決手段】本電気掃除機は、掃除機本体の上面に回転自在に設けられ、集塵ホースが着脱可能に挿入されるホース接続口を備えたホース接続部と、集塵ホースを介して被掃除面から吸込んだ塵埃を空気と分離し、かつホース接続口のホース着脱方向と直交して設けられたフィルタと、このフィルタの下流に配置した電動送風機と、フィルタに当接して衝撃を与える除塵子とを備え、この除塵子あるいはフィルタは、集塵ホースの回転に応じて回転する構造をなし、集塵ホースの回転に伴って、ホース接続部を介して、除塵子あるいはフィルタが回転され、このフィルタに除塵子により衝撃が与えられ、このフィルタの除塵が行なわれる。【選択図】  図４
2010017439.tif 000002
【特許請求の範囲】
【請求項１】
掃除機本体と、
この掃除機本体の上面に回転自在に設けられ、集塵ホースが着脱可能に挿入されるホース接続口を備えたホース接続部と、
前記集塵ホースを介して被掃除面から吸込んだ塵埃を空気と分離し、かつ前記ホース接続口のホース着脱方向と直交して設けられたフィルタと、
このフィルタの下流に配置した電動送風機とを備えた電気掃除機において、
前記フィルタに当接して衝撃を与える除塵子とを備え、
この除塵子あるいは前記フィルタは、前記集塵ホースの回転に応じて回転する構造をなし、
前記集塵ホースの回転に伴って、前記ホース接続部を介して、前記除塵子あるいは前記フィルタが回転され、この前記フィルタに前記除塵子により衝撃が与えられ、このフィルタの除塵が行なわれることを特徴とする電気掃除機。
【請求項２】
前記フィルタはプリーツフィルタであって、第２の塵埃分離手段をなし、中央部に一側が前記ホース接続口に対向して開口し、他側が第１の塵埃分離手段の入口に対向して開口する通気路が設けられることを特徴とする請求項１に記載の電気掃除機。
【請求項３】
前記第１の塵埃分離手段は、前記入口が設けられて傾斜して配される天板と、この天板に上面が覆われ、側面にメッシュフィルタを備えた通気開口が設けられた筒状の集塵部と、この集塵部の底部を適宜塞ぐ底蓋とを備えることを特徴とする請求項２に記載の電気掃除機。
【発明の詳細な説明】
【技術分野】
【０００１】
本発明は電気掃除機に係り、特に集塵ホースの回転に応動するフィルタ除塵機構を備えた電気掃除機に関する。
【背景技術】
【０００２】
従来の電気掃除機において、集塵ホースを介して被掃除面から吸込んだ塵埃を空気と分離する塵埃分離手段として、プリーツフィルタが多く用いられている。
【０００３】
掃除機本体の前面に集塵ホースが接続される吸込口を設け、この吸込口に対向して、慣性力を用いて分離する方式が採用された第１の塵埃分離手段を設け、さらに、この第１の塵埃分離手段の下流側に垂直に立設された第２の塵埃分離手段としてプリーツフィルタを設け、このプリーツフィルタに付着した塵埃を、手動操作部とこの操作部によって昇降される塵落し操作部を備えた除塵機構により除塵する電気掃除機が提案されている（例えば、特許文献１参照）。
【０００４】
しかしながら、この特許文献１に記載の電気掃除機は、プリーツフィルタから除塵された塵埃を重力により塵埃を落下させにくく、また、除塵機構の構造が複雑で、除塵頻度も少なく改良の余地がある。
【０００５】
また、第２の塵埃分離手段としてのプリーツフィルタを傾斜した状態に配置して、除塵された塵埃の落下の促進を図っているが、モータを備えた除塵機構により、プリーツフィルタを回転させて、塵落し部材でプリーツフィルタを弾き、除塵する電気掃除機が提案されている（例えば、特許文献２参照）。
【０００６】
しかしながら、特許文献２に記載の電気掃除機は、プリーツフィルタを配設するスペースの関係からプリーツフィルタの傾斜角には限界があり、塵埃を重力により塵埃を落下させるには、不十分であり、また、除塵機構の構造が複雑で改良の余地がある。
【特許文献１】特開２００５−２９６４６４号公報
【特許文献２】特開２００７−３３０４５７号公報
【発明の開示】
【発明が解決しようとする課題】
【０００７】
本発明は上述した事情を考慮してなされたもので、構造が簡単で塵埃除去を確実に行なうことができる電気掃除機を提供することを目的とする。
【課題を解決するための手段】
【０００８】
上述した目的を達成するため、本発明に係る電気掃除機は、掃除機本体と、この掃除機本体の上面に回転自在に設けられ、集塵ホースが着脱可能に挿入されるホース接続口を備えたホース接続部と、前記集塵ホースを介して被掃除面から吸込んだ塵埃を空気と分離し、かつ前記ホース接続口のホース着脱方向と直交して設けられたフィルタと、このフィルタの下流に配置した電動送風機とを備えた電気掃除機において、前記フィルタに当接して衝撃を与える除塵子とを備え、この除塵子あるいは前記フィルタは、前記集塵ホースの回転に応じて回転する構造をなし、前記集塵ホースの回転に伴って、前記ホース接続部を介して、前記除塵子あるいは前記フィルタが回転され、この前記フィルタに前記除塵子により衝撃が与えられ、このフィルタの除塵が行なわれることを特徴とする。
【発明の効果】
【０００９】
本発明に係る電気掃除機によれば、構造が簡単で塵埃除去を確実に行なうことができる電気掃除機を提供することができる。
【発明を実施するための最良の形態】
【００１０】
本発明の第１実施形態に係る電気掃除機について図面を参照して説明する。
【００１１】
図１は本発明の第１実施形態に係る電気掃除機の斜視図であり、図２は本電気掃除機の掃除機本体の斜視図であり、図３は本掃除機本体の蓋体を開放した状態を示す斜視図であり、図４は電気掃除機の掃除機本体の縦断面図である。
【００１２】
図１に示すように、本実施形態の電気掃除機１は、掃除機本体２と、一端が接続管部４ａを介して掃除機本体２に設けたホース接続口１３ａに着脱自在に接続され、他端にスイッチ類３ａを備える手元操作管３が設けられた集塵ホース４と、手元操作管３に着脱自在に接続された延長管５と、この延長管５の先端部に着脱自在に接続された吸込口体６とを備える。
【００１３】
図２および図３に示すように、掃除機本体２は本体ケース１１を備え、この本体ケース１１の上面には斜め上方に向いた蓋体１２が、開閉自在に軸着される。
【００１４】
この蓋体１２には、中央にホース接続口１３ａを備えたホース接続部１３が回転自在に設けられ、ホース接続口１３ａには、集塵ホース４が着脱自在に取り付けられる。
【００１５】
ホース接続口１３ａに集塵ホース４に設けた接続管部４ａが挿入された状態でこの接続管部４ａに設けた何れも図示しない係合部がホース接続口１３ａの内周に設けた係合凹部１３ｂに係合し、ホース側の通電端子（図示せず）がホース接続口１３ａに設けた通電端子１３ｃに接続される。
【００１６】
これにより、ホース接続部１３は集塵ホース４と共廻りするとともに、掃除機本体２と集塵ホース４間の通電が可能となる。
【００１７】
図３および図４に示すように、掃除機本体２に設ける集塵ユニット室１４には、集塵ユニット１５が蓋体１２により適宜開閉される開口部１６を介して着脱自在に収容される。
【００１８】
集塵ユニット１５は集塵カップ１７と、この集塵カップ１７に着脱自在に収容され所定位置に支持されるプリーツフィルタ１８からなる第２の塵埃分離手段と、集塵カップ１７に着脱自在に収容され、例えば、メッシュフィルタ１９ａを用いた第１の塵埃分離手段１９とからなる。この第１の塵埃分離手段は、メッシュフィルタに限らず、高速で流れる空気中に含まれる塵埃を質量差で分離する慣性分離方式を用いてもよい。
【００１９】
プリーツフィルタ１８は、扁平円錐形状をなし、中央部に一側がホース接続口１３ａに対向して開口し、他側が第１の塵埃分離手段１９の導入口３０ａに対向して開口する通気路１８ａが設けられ、また、プリーツフィルタ１８の除塵に用いるフィルタ除塵機構２０が設けられる。
【００２０】
さらに、プリーツフィルタ１８の下方には、通気路１８ａに導入口３０ａが連通した状態で第１の塵埃分離手段１９が配され、この第１の塵埃分離手段１９の後方で掃除機本体２の後部には、電動送風機２１が配される。
【００２１】
従って、吸込口体６、集塵ホース４等、ホース接続口１３ａおよびプリーツフィルタ１８に設けた通気路１８ａを介して吸い込まれた塵埃を含む空気は、第１の塵埃分離手段１９で除塵され、さらに、第２の塵埃分離手段であるプリーツフィルタ１８で除塵され、通風路２２、ガード部材２３、電動送風機２１を介して本体ケース１１の後部に設けた排気口（図示せず）から、本体ケース１１外に排出される。
【００２２】
図５はフィルタ除塵機構２０を拡大して示す断面図であり、図５に示すように、フィルタ除塵機構２０は、集塵ホース４と共廻りするホース接続部１３と、このホース接続部１３の下面に取り付けられ、先端部はプリーツフィルタ１８の山部に当接して衝撃を与える除塵子２４と、ホース接続部１３の回転を支持する軸受部２５からなる。
【００２３】
ホース接続部１３は外形が略茸形状をなし、柄分をなす円筒部１３ｄにはホース接続口１３ａが貫通し、傘は中空状で傘外周である接続部外周１３ｅは、軸受部２５で支持される。この軸受部２５は、接続部外周１３ｅの下部を気密的に支持する支持部材２６と上部を支持する化粧リング２７からなる。
【００２４】
支持部材２６は蓋体１２に一体的に取り付けられ、除塵子２４が突出かつ回転可能となる透孔２６ａが設けられる。
【００２５】
一方、化粧リング２７は蓋体１２の一部をなし、リング状の軸受部２７ａが設けられ、接続部外周１３ｅの上部を支持する。
【００２６】
従って、除塵機構２０は、ホース接続部１３が集塵ホース４と共廻して、ホース接続部１３が回転し、ホース接続部１３の回転により、除塵子２４がプリーツフィルタ１８の山部に当接して衝撃を与え、プリーツフィルタ１８の除塵を行なう。
【００２７】
図６に示すように、第１の塵埃分離手段１９は、導入口３０ａが設けられ、傾斜して配される天板３０と、この天板３０に覆われ、メッシュフィルタ１９ａを備えた通気開口３１ａが多数設けられた筒状の集塵部３１と、この集塵部３１の底部３１ｂを適宜塞ぐ底蓋３２とから構成される。
【００２８】
従って、プリーツフィルタ１８の通気路１８ａを介して吸い込まれた塵埃を含む空気は、メッシュフィルタ１９ａで除塵され、塵埃は底蓋３２に溜まり、多く塵埃が溜まったら、集塵ユニット１５を掃除機本体２から取り出し、底蓋３２を開放して、塵埃を捨てる。底蓋３２の開放時、集塵部３１が落下することがないように、集塵カップ１７に着脱自在に収容している。
【００２９】
一方、メッシュフィルタ１９ａで大きな塵埃が除塵され、微小な塵埃を含む空気は、集塵カップ１７内を上昇して、プリーツフィルタ１８に達し、微小な塵埃も除塵される。
【００３０】
次に本実施形態の電気掃除機に用いる除塵機構の作用について説明する。
【００３１】
図１および図７に示すように、塵埃を含む空気は、吸込口体６、集塵ホース４等、ホース接続口１３ａおよび通気路１８ａを介して、第１の塵埃分離手段１９に吸い込まれ、大きな塵埃ｄは、メッシュフィルタ１９ａで除塵され、塵埃ｄは底蓋３２に溜まり、微小な塵埃を含む空気は、集塵カップ１７内を上昇して、プリーツフィルタ１８に達し、微小な塵埃も除塵される。
【００３２】
プリーツフィルタ１８で微小な塵埃が除塵された空気は、通風路２２、ガード部材２３、電動送風機２１を介して本体ケース１１の後部に設けた排気口から、本体ケース１１外に排出される。
【００３３】
このような掃除を繰り返すことで、第１の塵埃分離手段１９に塵埃が溜まるので、集塵カップ１７を電動送風機２１から取り出し、底蓋３２を開放して、塵埃を捨てる。
【００３４】
一方、微小な塵埃を除塵するプリーツフィルタ１８には、微小な塵埃が付着するが、掃除過程における手元操作管３を介した集塵ホース４の回動あるいは回転により、フィルタ除塵機構２０を構成するホース接続部１３も回動あるいは回転し、このホース接続部１３の下面に取り付けた除塵子２４が、プリーツフィルタ１８に衝撃を与え、このプリーツフィルタ１８に付着した微小な塵埃を落下させて、確実に塵埃を取り除く。なお、プリーツフィルタ１８から取り除かれた微小な塵埃は、集塵カップ１７に溜まる。
【００３５】
また、フィルタ除塵機構２０は集塵ホース４の回転に応じて除塵子２４を回転させるので、回転モータなど必要とせず構造が簡単になる。
【００３６】
従って、プリーツフィルタ１８は集塵ホース４の回動あるいは回転により、常時塵落しが行なわれ、フィルタ性能が維持される。
【００３７】
本第１実施形態の電気掃除機によれば、構造が簡単で塵埃除去を確実に行なうことができる電気掃除機が実現される。
【００３８】
また、本発明の第２実施形態の電気掃除機について説明する。
【００３９】
本第２実施形態は、第１実施形態がフィルタ除塵機構の除塵子を回転させ、プリーツフィルタを固定するのに対して、これとは逆にフィルタ除塵機構の除塵子を固定させ、プリーツフィルタを回転させる。
【００４０】
例えば、図８に示すように、本第２実施形態の電気掃除機は、フィルタ除塵機構２０Ａを構成するホース接続部１３の円筒部１３ｄが、プリーツフィルタ１８の通気路１８ａまで延びて、一部着脱自在に嵌合し、円筒部１３ｄの外周に突出して設けた係合突起１３ｆと、通気路１８ａの内周の突出して設けた係合凹部１８ｂが凹凸係合する。
【００４１】
また、ホース接続部１３は軸受部２５および円筒部１３ｄの外周は支持し、支持部材２６に形成した第２の軸受部２５Ａで回転自在に支持され、さらに、プリーツフィルタ１８は集塵カップ１７の端部に設ける第３の軸受部２５Ｂにより、回転可能に支持される。
【００４２】
従って、プリーツフィルタ１８は１３ｄを介して、ホース接続部１３と共廻りし、さらに、集塵ホース４と共廻りする。
【００４３】
これにより、集塵ホース４の回動あるいは回転により、プリーツフィルタ１８を回転させ、この回転するプリーツフィルタ１８を、支持部材２６に固定されたフィルタ除塵機構２０Ａの除塵子２４に、当接させて、プリーツフィルタ１８に衝撃を与え、付着した微小な塵埃を落下させて、確実に塵埃を取り除く。
【００４４】
また、フィルタ除塵機構２０Ａは集塵ホース４の回転に応じてプリーツフィルタ１８を回転させるので、回転モータなど必要とせず構造が簡単になる。
【００４５】
従って、プリーツフィルタ１８は集塵ホース４の回動あるいは回転により、常時塵落しが行なわれ、フィルタ性能が維持される。
【００４６】
他の構造は図５に示す電気掃除機と異ならないので、同一符号を付して説明は省略する。
【００４７】
本第２実施形態の電気掃除機によれば、構造が簡単で塵埃除去を確実に行なうことができる電気掃除機が実現される。
【図面の簡単な説明】
【００４８】
【図１】本発明の第１実施形態の電気掃除機の斜視図。
【図２】本発明の第１実施形態の電気掃除機の掃除機本体の斜視図。
【図３】本発明の第１実施形態の電気掃除機の掃除機本体の蓋体を開放した状態を示す斜視図。
【図４】本発明の第１実施形態の電気掃除機の掃除機本体の縦断面図。
【図５】本発明の第１実施形態の電気掃除機のフィルタ除塵機構を拡大した断面図。
【図６】本発明の第１実施形態の電気掃除機の集塵ユニットを掃除機本体から取り出し分解して示す斜視図。
【図７】本発明の第１実施形態の電気掃除機の除塵作用を示す掃除機本体の縦断面図。
【図８】本発明の第２実施形態の電気掃除機のフィルタ除塵機構を拡大した断面図。
【符号の説明】
【００４９】
１  電気掃除機
２  掃除機本体
４  集塵ホース
６  吸込口体
１１  本体ケース
１３  ホース接続部
１３ａ  ホース接続口
１３ｂ  係合凹部
１３ｄ  円筒部
１３ｅ  接続部外周
１３ｆ  係合突起
１４  集塵ユニット室
１５  集塵ユニット
１６  開口部
１７  集塵カップ
１８  プリーツフィルタ
１８ａ  通気路
１８ｂ  係合凹部
１９  第１の塵埃分離手段
１９ａ  メッシュフィルタ
２０  フィルタ除塵機構
２１  電動送風機
２２  通風路
２４  除塵子
２５  軸受部
２６  支持部材
２６ａ  透孔
２７  化粧リング
２７ａ  軸受部
３０  天板
３０ａ  導入口
３１  集塵部
３１ａ  通気開口
３１ｂ  底部
３２  底蓋
【図１】
2010017439.tif 000003
【図２】
2010017439.tif 000004
【図３】
2010017439.tif 000005
【図４】
2010017439.tif 000006
【図５】
2010017439.tif 000007
【図６】
2010017439.tif 000008
【図７】
2010017439.tif 000009
【図８】
2010017439.tif 000010